(57)【要約】      （修正有）【課題】伸縮固定のガタの発生要因である孔の拡開自体が起こりにくい構造を持つ折り畳み式テーブルを提供する。【解決手段】二枚の天板と、前記二枚の天板の夫々に固着され前記二枚の天板が折り畳み位置と展開位置との間で移動可能に蝶着される二つの天板受横架材と、前記二つの天板受横架材が蝶着される接合部において前記二つの天板受横架材に枢嵌されるピンに枢支される第１の縦軸材と、前記二枚の天板もしくは前記二つの天板受横架材に枢支される二つのポイントを両側に備えた斜め材受け横架材と、前記斜め材受け横架材と剛性結合されもしくは一体化され前記第１の縦軸材に外挿される第２の縦軸材と、前記第１の縦軸材に設けられる第１の孔と前記第２の縦軸材に設けられ、孔差込側先端部に向うテーパーと前記第１及び第２の縦軸材によるせん断力作用面との係合箇所の拡開を防止する拡開防止手段が設けられた縦軸材固定ピンとを具備する。【選択図】図３
2016182263.tif 000002
【特許請求の範囲】
【請求項１】
二枚の天板が左右に面一となるように分割して配置される二枚の天板と、
前記二枚の天板の夫々に固着される横架材であって前記二枚の天板が折り畳み位置と展開位置との間で移動可能に相互に蝶着される二つの天板受横架材と、
前記二つの天板受横架材が相互に蝶着される位置である接合部において前記二つの天板受横架材に枢嵌されるピンに枢支される第１の縦軸材と、
前記二枚の天板もしくは前記二つの天板受横架材に夫々枢支される二つの斜め材がそれぞれ枢支される二つのポイントを両側に備えた斜め材受け横架材と、
前記斜め材受け横架材の前記二つのポイントで前記斜め材受け横架材と剛性結合されもしくは一体化され前記第１の縦軸材を外挿するもしくは前記第１の縦軸材に外挿される第２の縦軸材と、
前記第１の縦軸材に設けられる第１の孔と前記第２の縦軸材に設けられる第２の孔とを挿通する縦軸材固定ピンであって、孔差込側先端部が突端に向ってテーパーが形成されかかるテーパーと前記第１及び第２の縦軸材によるせん断力作用面との係合箇所もしくはその近傍に孔の拡開を防止する拡開防止手段が設けられた縦軸材固定ピンと
を具備することを特徴とする折り畳み式テーブル。
【請求項２】
前記縦軸材固定ピンの少なくとも基端部を外挿し前記縦軸材固定ピンを前記第１及び第２の孔側に向って付勢するバネ部をさらに備えたことを特徴とする請求項１記載の折り畳み式テーブル。
【発明の詳細な説明】
【技術分野】
【０００１】
本発明は、折り畳み式テーブルに関する。
【背景技術】
【０００２】
卓球台等に用いられる折り畳み式テーブルにおいては、比較的広範な平面を要するために、非使用時には折りたたんで収納することができるように、たとえば真ん中で二つに折れて場所をとらない収納的状態と、平面をいっぱいに出すように展開される使用時とに使用状態を変更できるようにするという技術的思想が公知である。
【０００３】
こうした収納時と使用時とを分けた形態をとる場合、使用時（展開時）にガタがこないように陸を保つことが利用勝手上重要である。特に、卓球等の正式種目競技に用いられるような場合には、競技環境の点からもこの水平を厳密に確保することが肝要となる。
【０００４】
この点においては、たとえば特許文献１に開示されるように幕板の固定方法を工夫したり、特許文献２にあるように板バネを用いて収容時にクッション性を高め展開時への付勢を増したりする技術思想がある。
【０００５】
一方、上記のような大きなテーブル状のものを収納に適するようにいわば二つ折にするように収納形にするについては、それを支える構造に工夫がある。
【０００６】
たとえば上記の特許文献２では、テーブルをなす天板の下に台座をなす一対の横材をいれ、この一対の横材が互いに枢着されることで自由な回転、それによる収納、拡開操作を確保するとともに、この枢支ポイントに建枠材を枢支し、この建枠材がテーブルの開閉に伴い伸縮することで開閉動作を容易にするという技術思想が開示されている。
【０００７】
特許文献２においては、かかる建枠材を２つの軸材を一方が他方を嵌挿するような構造とことで伸縮を確保するものである。この場合、かかる２つの軸材を一定の箇所で、すなわち所望の開もしくは閉状態がなされた箇所で固定する必要があるが、同文献では、建枠の双方に穴を穿設しておき、所望の箇所において、この両方の孔を挿通するようなピンで固定するという思想が用いられている。
【０００８】
しかし、上記のような二つの孔を挿通させるピンによる場合、経年的使用によりピンが摩耗したり孔が拡開したりすることで、当初の嵌合状況にガタが生じることがある。特に、天板を支えるのに山の字（以下、「山型」ともいう。）構造を使用した場合には、建枠材と斜め材とで形成される角度がこの枢支ポイントでのみ固定される構造上必然的にかかるポイントには応力が集中しやすくなり、その分少しの応力集中、集中的使用によって上記のガタが生じやすい。特許文献２では、この点に着目して、当該二つの孔に挿通されるピンの先端部にテーパーをかけ、かかるテーパーの傾斜面が当該二つの孔の重なる箇所に係合することで固定させるという技術思想を開示している。
【先行技術文献】
【特許文献】
【０００９】
【特許文献１】実用新案公報昭和５７−３２７６４号公報
【特許文献２】実用新案公報昭和４８−３６４０４号公報
【発明の概要】
【発明が解決しようとする課題】
【００１０】
しかしながら、孔をピンが挿通する嵌め合い箇所において単にピンの先端部にテーパーをつけただけでは、孔が穿設される二つの縦方向軸材の二枚の板材によるせん断力が常にかかる構造となるから、経年的には、テーブルの水平保持状態において、二枚の板材の孔形成断面が、テーパーの傾斜面によって常に孔が拡開する方向に摩擦していることとなるのは構造上やむを得ない。しかしながら、この構造では経年的な劣化が必然的なものとなり、使用すればするほど、長年が経過すればするほど、孔が拡開され、拡開された孔にさらにテーパーが深く嵌め合うということになり、ガタは抑えられるものの、本来の正確位置とはますます異なる拡開位置に固定される方向にしか事態は進展しない。
【００１１】
本発明は上記のような問題を解決することを企図したものであり、経年的使用によっても伸縮固定にガタの発生しにくい上に、ガタの発生要因である孔の拡開自体が起こりにくい構造を持つ折り畳み式テーブルを提供することを目的とする。
【課題を解決するための手段】
【００１２】
かかる課題を解決するため本発明に係る折り畳み式テーブルは、二枚の天板が左右に面一となるように分割して配置される二枚の天板と、前記二枚の天板の夫々に固着される横架材であって前記二枚の天板が折り畳み位置と展開位置との間で移動可能に相互に蝶着される二つの天板受横架材と、前記二つの天板受横架材が相互に蝶着される位置である接合部において前記二つの天板受横架材に枢嵌されるピンに枢支される第１の縦軸材と、前記二枚の天板もしくは前記二つの天板受横架材に夫々枢支される二つの斜め材がそれぞれ枢支される二つのポイントを両側に備えた斜め材受け横架材と、前記斜め材受け横架材の前記二つのポイントで前記斜め材受け横架材と剛性結合されもしくは一体化され前記第１の縦軸材を外挿するもしくは前記第１の縦軸材に外挿される第２の縦軸材と、前記第１の縦軸材に設けられる第１の孔と前記第２の縦軸材に設けられる第２の孔とを挿通する縦軸材固定ピンであって、孔差込側先端部が突端に向ってテーパーが形成されかかるテーパーと前記第１及び第２の縦軸材によるせん断力作用面との係合箇所もしくはその近傍に孔の拡開を防止する拡開防止手段が設けられた縦軸材固定ピンとを具備することを特徴とする。
【００１３】
上記のような構成を備えることにより、嵌合がなされる二つの孔にたとえ拡開が生じても、孔を挿通するピンの側面がテーパー形成されているため、孔径に応じた嵌合箇所で必然的に嵌合がなされ、余計な余裕は発生せず、ガタつきのない安定したテーブルとなるが、この際においてガタつきの発生を防止するための固定保持手段に加えて孔の拡開を防止するための拡開防止手段が設けられているため、全体としてのガタつき防止が機能的かつ効率的に実現される。
【００１４】
この場合、拡開防止手段としては、たとえばテーパー面の先端部に、縦軸材の板厚と同程度の突端長さを備える非テーパー断面をもつ係合部を設けるとしてもよい。または、二つの縦軸材がピンに対してせん断力を作用させる箇所に摩擦抵抗を低減させるような摩擦抵抗低減手段を設けてもよい。かかる摩擦抵抗低減手段としては、潜在的係合面に摩擦抵抗低減効果を持つ材を塗布する、摩擦係数の比較的小さな素材にてテーパー面を形成する等を採用することができる。
【００１５】
上記の構造においては、前記縦軸材固定ピンの少なくとも基端部を外挿し前記縦軸材固定ピンを前記第１及び第２の孔側に向って付勢するバネ部をさらに具備するようにしてもよい。こうすることにより、バネ部が縦軸材固定ピンを前記第１及び第２の孔側に向って付勢する力が一方向に働くので、ガタつきがより強力に防止される。
【発明の効果】
【００１６】
上記構成を有する本発明によれば、全体としてのガタつき防止が果たされつつ、本来の正確位置とはますます異なる拡開位置に固定される方向に事態が進展することを可能な限り食い止め得る安全かつ堅固な構造が経済効率よく実現できる。
【図面の簡単な説明】
【００１７】
【図１Ａ】本発明の一実施形態にかかる折り畳み式テーブルの構造を表す図である。
【図１Ｂ】本発明の一実施形態にかかる折り畳み式テーブルの構造を表す図である。
【図１Ｃ】本発明の一実施形態にかかる折り畳み式テーブルの構造を表す図である。
【図１Ｄ】本発明の一実施形態にかかる折り畳み式テーブルの構造を表す図である。
【図１Ｅ】本発明の一実施形態にかかる折り畳み式テーブルの構造を表す図である。
【図１Ｆ】本発明の一実施形態にかかる折り畳み式テーブルの構造を表す図である。
【図２】本発明の一実施形態にかかる折り畳み式テーブルの部分的詳細図である。
【図３】図２（Ｂ）のさらなる部分的拡大詳細図である。
【発明を実施するための形態】
【００１８】
以下、図面を参照して本発明の一実施形態にかかる折り畳み式テーブルについて説明する。
【００１９】
図１Ａ〜図１Ｆは、本発明の一実施形態にかかる折り畳み式テーブルの全体構造を表す図、図２は同テーブルの部分的詳細図、図３は図２（Ｂ）のさらなる部分的拡大詳細図である。
【００２０】
図１Ａ〜図１Ｆに概括的に示されるように、中央で二分された左右一対の天板１ａ，１ｂの突合せ端をその下部に固定された連結杆２ａ，２ｂの先端枢着により蝶着するとともに該蝶着部３のピン４に支持された筒型案内杆５に筒型摺動杆６を嵌挿して摺動杆６の下端部を天板１、２の下側に枢着した支持杆７ａ，７ｂの下側に連結枢着されている。案内杆５と摺動杆６とによって二重筒体が構成され、かかる二重筒体の外側を構成する案内杆５又は摺動杆６側に、先端部が先端方向に傾斜する傾斜面８に形成されたピンストッパー９を前後進退自在に且つバネ１０によって前方向に押圧下に装着するとともに、天板１ａ，１ｂの水平時に該ストッパー９の傾斜面８部分を該案内杆５又は摺動杆６の孔１１を通して内筒を構成する摺動杆６または案内杆５の孔１２内に進入せしめ、その傾斜面８の途中を該孔１２の上端部分に当止させる構造を有している。
【００２１】
図１Ａ〜図１Ｆには、筒型案内杆５内に筒型摺動杆６を嵌挿して案内杆５にピンストッパー９を備えてなる場合が本願の一態様として示されているが、案内杆５に摺動杆６を外装して摺動杆６にピンストッパー９を備えるようにしてもよい。また図中、１３は案内杆５の外側壁面に螺着されたピンストッパー９支持用横向軸筒で、該軸筒１３内のピンストッパー９の細径部分９’にはバネ１０が卷装され、したがって該ピンストッパー９は該バネ１０により常に前方向に押圧される。１４ａ，１４ｂは、上端が天板１ａ，１ｂの下側に蝶番１５によって蝶着された脚杆１６ａ，１６ｂ，１６ａ，１６ｂの補強横桟１７ａ，１７ｂと前記案内杆５とを枢着連結する補強横杆で、該横杆１４ａ，１４ｂの案内杆５側寄りに穿設された条孔１８ａ，１８ｂには前記支持杆７ａ，７ｂが挿通されている。
【００２２】
上記の構成によって、天板１ａ，１ｂを水平に開き同一平面を形成させたときは、摺動杆６は、摺動杆６下端と天板１ａ，１ｂ下側とを枢支連結する支持杆７ａ，７ｂを作動媒体として天板１ａ，１ｂの開動に追従して案内杆５内を摺動上昇し殆どその上動上限に至っており、一方案内杆５（外筒側）に装着したピンストッパー９は、摺動杆６の摺動上昇途中ではその先端がばね１０による押圧下に摺動杆６（内筒側）面に圧接されており摺動杆６の上動を許すとともに、摺動杆６が上動上限に至り摺動杆６の孔１２位置と一致すると、ピンストッパー９の先端部は自動的に孔１２内へ進入し、先端傾斜面８の途中が孔１２の上側部分に当接し、摺動杆６の下動を拘束する。したがって上記天板１ａ，１ｂはこのように摺動杆６がピンストッパー９が拘束されることによりその同一平面形成状態を確実に保持し得る。
【００２３】
このとき天板１ａ，１ｂの同一平面形成状態に多少の狂いが生じている場合は、摺動杆６の孔１２に対するピンストッパー９の進入深さを適当に調整することによってこれを矯正できる。すなわち上記摺動杆６の拘束状態において、天板１ａ，１ｂの同一平面形成状態に山型あるいは逆山型の狂いが生じている場合は、天板１ａ，１ｂの両端を押上げ或は押下げて正確な同一平面を形成させると、この天板１ａ，１ｂの動きにつれ上下動する摺動杆６の孔１２においてはピンストッパー９の先端傾斜面８が更に深く進入し或はバネ１０に抗して後退するから、摺動杆６は調整された位置でピンストッパー９によって確実に拘束され、天板１ａ，１ｂは調整された正確な水平状態を保持する。また天板１ａ，１ｂの水平状態からこれを折り畳むに際しては、ピンストッパー９の先端傾斜面８部分を摺動杆６の孔１２から退出させ、その後天板１ａ，１ｂの突合せ端を押し上げると摺動杆６はその拘束が解かれていることにより支持杆７ａ，７ｂによる押下げによって案内杆５下方へと下動され、天板１ａ，１ｂをその枢着ピン４を支点として垂直方向に折り畳み得る。
【００２４】
ここで、図２及び図３を参照する。両図に概念的に示されるように、上記した構造に加えて、テーパー面の先端部に、縦軸材の板厚と同程度の突端長さを備える非テーパー断面をもつ係合部が設けられる。これにより、ガタつきの発生を防止するための固定保持手段に加えて孔の拡開が防止される。すなわち、二枚の板材によるせん断力がかかる位置において、テーパーの傾斜面による恒常的摩擦が発生しないことになるため、孔が拡開され、拡開された孔にさらにテーパーが深く嵌め合うことで、本来の正確位置とはますます異なる拡開位置に固定される方向に事態が進展するのを極力防止することができる。
【００２５】
上記の場合においては、代替的に、二つの縦軸材がピンに対してせん断力を作用させる箇所に摩擦抵抗を低減させるような摩擦抵抗低減手段を設けてもよい。かかる摩擦抵抗低減手段としては、潜在的係合面に摩擦抵抗低減効果を持つ材を塗布する、摩擦係数の比較的小さな素材にてテーパー面を形成する等を採用することができる。
【００２６】
なお本発明に係る折り畳み式テーブルは、上記実施形態において例示したものに限定されず、その趣旨を逸脱しない範囲で適宜変形、置換、拡大、縮小して実施することができる。
【産業上の利用可能性】
【００２７】
本発明によれば、ピンストッパー９機構により、摺動杆６の拘束を上下に微調整された摺動変位位置で自由に行い得るので、常時天板１ａ，１ｂを正確な水平状態に開くことが可能となり、このことは卓球競技が常に天板１ａ，１ｂを正確な水平状態に保持することを必要とすることに鑑み極めて有用である。しかもピンストッパー９機構は摺動杆６に対する拘束並びに微調整機能を有するに拘わらずその構造は極めて簡素であり、また拘束、調整操作も極めて簡易であり使用取扱い易い上、孔の拡開自体も防止される。よって、経年的使用によっても伸縮固定にガタの発生しにくい上に、ガタの発生要因である孔の拡開自体が起こりにくい構造を持つ折り畳み式テーブルが提供されるから、本発明は産業上の利用可能性を有する。
【符号の説明】
【００２８】
１ａ，１ｂ  天板
２ａ，２ｂ  連結杆
３  蝶着部
【図１Ａ】
2016182263.tif 000003
【図１Ｂ】
2016182263.tif 000004
【図１Ｃ】
2016182263.tif 000005
【図１Ｄ】
2016182263.tif 000006
【図１Ｅ】
2016182263.tif 000007
【図１Ｆ】
2016182263.tif 000008
【図２】
2016182263.tif 000009
【図３】
2016182263.tif 000010